(57)【要約】【課題】ユーザ操作によらずに適切な撮影パラメータを自動的に選択する画像撮影装置を実現する。【解決手段】外部メモリ入出力制御部１６のカードスロットにメモリカード１７が挿着されていると、そのメモリカード１７の媒体種類および記録容量を表す記録媒体情報を、外部メモリ入出力制御部１６から取得して記録媒体情報格納部１４ｂに登録する。記録先情報格納部１４ｅの記録先情報を参照して記録媒体情報格納部１４ｂから対応する記録媒体情報を取得し、この記録媒体情報に対応する撮影パラメータを対応テーブル１４ｄから読み出す。対応テーブル１４ｄから読み出した撮影パラメータと撮影パラメータ格納部１４ｃの撮影パラメータとが異なる場合に、ユーザが撮影パラメータ更新を指示すると、対応テーブル１４ｄから読み出した撮影パラメータを撮影パラメータ格納部１４ｃにストアする。【選択図】図１
2007267192.tif 000002
【特許請求の範囲】
【請求項１】
複数の撮影パラメータの中から選択された撮影パラメータに従って画像を撮影する画像撮影装置であって、
予め画像を記録する記録媒体の属性を示す記録媒体情報に、前記複数の撮影パラメータに含まれるいずれかの撮影パラメータを対応付けて記憶する記憶手段と、
画像を撮影する記録媒体の属性を示す記録媒体情報を取得する取得手段と、
前記取得手段により取得された記録媒体情報に対応付けられて前記記憶手段に記憶されている撮影パラメータを抽出する抽出手段と、
前記抽出手段により抽出された撮影パラメータを前記複数の撮影パラメータの中から選択する選択手段と、
前記選択手段により選択された撮影パラメータに従って画像を撮影する撮像手段と
を具備することを特徴とする画像撮影装置。
【請求項２】
前記撮像手段により撮像された画像を、前記選択手段により選択された撮影パラメータに従って記録用画像に変換して、前記取得手段により取得された記録媒体情報を備える記録媒体に記録する画像記録手段を、さらに具備することを特徴とする請求項１記載の画像撮影装置。
【請求項３】
画像を記録する外部記録媒体を挿着する挿着手段をさらに備え、
前記記憶手段は、予め外部記録媒体の種類を表す記録媒体情報に、前記複数の撮影パラメータに含まれるいずれかの撮影パラメータを対応付けて記憶し、
前記取得手段は、前記挿着手段に挿着される外部記録媒体の種類を表す記録媒体情報を取得することを特徴とする請求項１または２記載の画像撮影装置。
【請求項４】
画像を記録する外部記録媒体を挿着する挿着手段をさらに備え、
前記記憶手段は、予め外部記録媒体の記録容量を表す記録媒体情報に、前記複数の撮影パラメータに含まれるいずれかの撮影パラメータを対応付けて記憶し、
前記取得手段は、前記挿着手段に挿着される外部記録媒体の記録容量を表す記録媒体情報を取得することを特徴とする請求項１または２記載の画像撮影装置。
【請求項５】
画像の記録先として記録媒体を指定する記録先指定手段をさらに備え、
前記取得手段は、前記記録先指定手段により指定される記録媒体の記録媒体情報を取得することを特徴とする請求項１乃至４のいずれか１項に記載の画像撮影装置。
【請求項６】
撮影パラメータを設定する設定手段と、
前記設定手段により設定された撮影パラメータと前記取得手段により取得された記録媒体情報とを対応付けて前記記憶手段に記憶する登録手段と
をさらに具備することを特徴とする請求項１乃至５のいずれか１項に記載の画像撮影装置。
【請求項７】
複数の撮影パラメータの中から選択された撮影パラメータに従って画像を撮影する画像撮影装置であって、
画像を記録する記録媒体に記録されている画像の撮影パラメータを取得する取得手段と、
前記取得手段により取得された撮影パラメータに基づいて、前記複数の撮影パラメータの中から撮影パラメータを選択する選択手段と、
前記選択手段により選択された撮影パラメータに従って画像を撮影する撮像手段と
を具備することを特徴とする画像撮影装置。
【請求項８】
画像を記録する外部記録媒体を挿着する挿着手段をさらに備え、
前記取得手段は、前記挿着手段に挿着される外部記録媒体に記録されている画像の撮影パラメータを取得することを特徴とする請求項７記載の画像撮影装置。
【請求項９】
画像の記録先として記録媒体を指定する記録先記録媒体指定手段をさらに備え、
前記取得手段は、前記記録先記録媒体指定手段により指定される記録媒体に記録されている画像の撮影パラメータを取得することを特徴とする請求項７または８記載の画像撮影装置。
【請求項１０】
前記記録媒体は、画像をグループ分けして記録し、
画像の記録先として前記グループの内、いずれかのグループを指定する記録先グループ指定手段をさらに備え、
前記取得手段は、前記記録先グループ指定手段により指定されたグループに記録されている画像の撮影パラメータを取得することを特徴とする請求項７乃至９のいずれか１項に記載の画像撮影装置。
【請求項１１】
前記選択手段は、前記取得手段により取得された撮影パラメータが複数ある場合、これら複数の撮影パラメータの内、撮影枚数が最も多い撮影パラメータを選択することを特徴とする請求項７乃至１０のいずれか１項に記載の画像撮影装置。
【請求項１２】
前記選択手段は、前記取得手段により取得された撮影パラメータが複数ある場合、これら複数の撮影パラメータの内、最も直近に撮影した画像の撮影パラメータを選択することを特徴とする請求項７乃至１０のいずれか１項に記載の画像撮影装置。
【請求項１３】
複数の撮影パラメータの中から選択された撮影パラメータに従って画像を撮影する画像撮影装置であって、
画像を記録する外部記録媒体を挿着する挿着手段と、
画像を記録する内部記録媒体を格納する格納手段と、
前記挿着手段に外部記録媒体が挿着されているか否かを検出する検出手段と、
前記検出手段が外部記録媒体の挿着を検出した場合、前記外部記録媒体用の所定の撮影パラメータを前記複数の撮影パラメータの中から選択し、前記検出手段が外部記録媒体の挿着を検出しない場合、前記格納手段に格納される内部記録媒体用の所定の撮影パラメータを前記複数の撮影パラメータの中から選択する選択手段と、
前記選択手段により選択された撮影パラメータに従って画像を撮影する撮像手段と
を具備することを特徴とする画像撮影装置。
【請求項１４】
複数の撮影パラメータの中から選択された撮影パラメータに従って画像を撮影する画像撮影装置を制御するコンピュータに、
予め画像を記録する記録媒体の属性を示す記録媒体情報に、前記複数の撮影パラメータに含まれるいずれかの撮影パラメータを対応付けて記憶する記憶処理と、
画像を記録する記録媒体の属性を示す記録媒体情報を取得する取得処理と、
前記取得処理により取得された記録媒体情報に対応付けられて前記記憶処理に記憶されている撮影パラメータを抽出する抽出処理と、
前記抽出処理により抽出された撮影パラメータを前記複数の撮影パラメータの中から選択する選択処理と、
前記選択処理により選択された撮影パラメータに従って画像を撮影する撮像処理と
を実現させることを特徴とするプログラム。
【請求項１５】
複数の撮影パラメータの中から選択された撮影パラメータに従って画像を撮影する画像撮影装置を制御するコンピュータに、
画像を記録する記録媒体に記録されている画像の撮影パラメータを取得する取得処理と、
前記取得処理により取得された撮影パラメータに基づいて、前記複数の撮影パラメータの中から撮影パラメータを選択する選択処理と、
前記選択処理により選択された撮影パラメータに従って画像を撮影する撮像処理と
を実現させることを特徴とするプログラム。
【請求項１６】
複数の撮影パラメータの中から選択された撮影パラメータに従って画像を撮影する画像撮影装置を制御するコンピュータに、
外部記録媒体が挿着されているか否かを検出する検出処理と、
前記検出処理が外部記録媒体の挿着を検出した場合、前記外部記録媒体用の所定の撮影パラメータを前記複数の撮影パラメータの中から選択し、前記検出処理が外部記録媒体の挿着を検出しない場合、内部記録媒体用の所定の撮影パラメータを前記複数の撮影パラメータの中から選択する選択処理と、
前記選択処理により選択された撮影パラメータに従って画像を撮影する撮像処理と
を実現させることを特徴とするプログラム。
【発明の詳細な説明】
【技術分野】
【０００１】
本発明は、複数の撮影パラメータの中から選択された撮影パラメータに従って画像を撮影する画像撮影装置およびプログラムに関する。
【背景技術】
【０００２】
デジタルカメラとして知られる画像撮影装置の多くは、画像を撮影する際や記録する際の撮影パラメータ（記録画質や撮影サイズ）を、複数種の撮影パラメータの中から選択できるようになっており、ユーザの目的に応じて、高画質の画像を撮影記録したり、低画質の画像を撮影記録したりすることができる。また、撮影した画像を記録するための外部記録媒体を挿抜自在に構成されているものも多い。
【０００３】
近年、外部記録媒体は、多くの種類が発売されていて、さらには、それぞれの種類の中にも様々な記憶容量を持つものが発売されている。ユーザは高画質の動画を撮影する際には、高価だが大容量の外部記録媒体を使用し、スナップ写真など比較的低画質の静止画を撮影する際には、安価で低容量の外部記録媒体を使用する等、撮影する画像に応じて、使用する外部記録媒体を使い分けることがある。
【０００４】
ユーザ操作によらずに撮影パラメータを選択する方法として、例えば特許文献１には、記録媒体の記録可能な残容量が一定値以下となったときに、撮影画像を記録する際の圧縮パラメータを変化させて画像の記録容量を制御する技術が開示されている。
【０００５】
【特許文献１】特開平９−３２６９９４号公報
【発明の開示】
【発明が解決しようとする課題】
【０００６】
ところで、上記特許文献１に開示の技術では、記録媒体の記録可能な残容量が多いうちはユーザの希望した撮影パラメータに従って画像記録されるが、残容量が一定値以下になったときには撮影パラメータが変化してしまう。例えば、ユーザが連写撮影しているときに残容量が一定値以下になると、ユーザの意図に依らずに撮影設定情報が変わってしまうという弊害が生じる。
【０００７】
本発明は、このような事情に鑑みてなされたもので、ユーザ操作によらずに適切な撮影パラメータを自動的に選択し撮影することができる画像撮影装置およびプログラムを提供することを目的としている。
【課題を解決するための手段】
【０００８】
上記目的を達成するため、請求項１に記載の発明では、複数の撮影パラメータの中から選択された撮影パラメータに従って画像を撮影する画像撮影装置であって、予め画像を記録する記録媒体の属性を示す記録媒体情報に、前記複数の撮影パラメータに含まれるいずれかの撮影パラメータを対応付けて記憶する記憶手段と、画像を記録する記録媒体の属性を示す記録媒体情報を取得する取得手段と、前記取得手段により取得された記録媒体情報に対応付けられて前記記憶手段に記憶されている撮影パラメータを抽出する抽出手段と、前記抽出手段により抽出された撮影パラメータを前記複数の撮影パラメータの中から選択する選択手段と、前記選択手段により選択された撮影パラメータに従って画像を撮影する撮像手段とを具備することを特徴とする。
【０００９】
上記請求項１に従属する請求項２に記載の発明では、前記撮像手段により撮像された画像を、前記選択手段により選択された撮影パラメータに従って記録用画像に変換して、前記取得手段により取得された記録媒体情報を備える記録媒体に記録する画像記録手段をさらに具備することを特徴とする。
【００１０】
上記請求項１または２に従属する請求項３に記載の発明では、画像を記録する外部記録媒体を挿着する挿着手段をさらに備え、前記記憶手段は、予め外部記録媒体の種類を表す記録媒体情報に、前記複数の撮影パラメータに含まれるいずれかの撮影パラメータを対応付けて記憶し、前記取得手段は、前記挿着手段に挿着される外部記録媒体の種類を表す記録媒体情報を取得することを特徴とする。
【００１１】
上記請求項１または２に従属する請求項４に記載の発明では、画像を記録する外部記録媒体を挿着する挿着手段をさらに備え、前記記憶手段は、予め外部記録媒体の記録容量を表す記録媒体情報に、前記複数の撮影パラメータに含まれるいずれかの撮影パラメータを対応付けて記憶し、前記取得手段は、前記挿着手段に挿着される外部記録媒体の記録容量を表す記録媒体情報を取得することを特徴とする。
【００１２】
上記請求項３または４に従属する請求項５に記載の発明では、画像の記録先として記録媒体を指定する記録先指定手段をさらに備え、前記取得手段は、前記記録先指定手段により指定される記録媒体の記録媒体情報を取得することを特徴とする。
【００１３】
上記請求項１乃至５のいずれか１項に従属する請求項６に記載の発明では、撮影パラメータを設定する設定手段と、前記設定手段により設定された撮影パラメータと前記取得手段により取得された記録媒体情報とを対応付けて前記記憶手段に記憶する登録手段とをさらに具備することを特徴とする。
【００１４】
請求項７に記載の発明では、複数の撮影パラメータの中から選択された撮影パラメータに従って画像を撮影する画像撮影装置であって、画像を記録する記録媒体に記録されている画像の撮影パラメータを取得する取得手段と、前記取得手段により取得された撮影パラメータに基づいて、前記複数の撮影パラメータの中から撮影パラメータを選択する選択手段と、前記選択手段により選択された撮影パラメータに従って画像を撮影する撮像手段とを具備することを特徴とする。
【００１５】
上記請求項７に従属する請求項８に記載の発明では、画像を記録する外部記録媒体を挿着する挿着手段をさらに備え、前記取得手段は、前記挿着手段に挿着される外部記録媒体に記録されている画像の撮影パラメータを取得することを特徴とする。
【００１６】
上記請求項７または８に従属する請求項９に記載の発明では、画像の記録先として記録媒体を指定する記録先記録媒体指定手段をさらに備え、前記取得手段は、前記記録先記録媒体指定手段により指定される記録媒体に記録されている画像の撮影パラメータを取得することを特徴とする。
【００１７】
上記請求項７乃至９のいずれか１項に従属する請求項１０に記載の発明では、前記記録媒体は、画像をグループ分けして記録し、画像の記録先として前記グループの内、いずれかのグループを指定する記録先グループ指定手段をさらに備え、前記取得手段は、前記記録先グループ指定手段により指定されたグループに記録されている画像の撮影パラメータを取得することを特徴とする。
【００１８】
上記請求項７乃至１０のいずれか１項に従属する請求項１１に記載の発明では、前記選択手段は、前記取得手段により取得された撮影パラメータが複数ある場合、これら複数の撮影パラメータの内、撮影枚数が最も多い撮影パラメータを選択することを特徴とする。
【００１９】
上記請求項７乃至１０のいずれか１項に従属する請求項１２に記載の発明では、前記選択手段は、前記取得手段により取得された撮影パラメータが複数ある場合、これら複数の撮影パラメータの内、最も直近に撮影した画像の撮影パラメータを選択することを特徴とする。
【００２０】
請求項１３に記載の発明では、複数の撮影パラメータの中から選択された撮影パラメータに従って画像を撮影する画像撮影装置であって、画像を記録する外部記録媒体を挿着する挿着手段と、画像を記録する内部記録媒体を格納する格納手段と、前記挿着手段に外部記録媒体が挿着されているか否かを検出する検出手段と、前記検出手段が外部記録媒体の挿着を検出した場合、前記外部記録媒体用の所定の撮影パラメータを前記複数の撮影パラメータの中から選択し、前記検出手段が外部記録媒体の挿着を検出しない場合、前記格納手段に格納される内部記録媒体用の所定の撮影パラメータを前記複数の撮影パラメータの中から選択する選択手段と、前記選択手段により選択された撮影パラメータに従って画像を撮影する撮像手段とを具備することを特徴とする。
【００２１】
請求項１４に記載の発明では、複数の撮影パラメータの中から選択された撮影パラメータに従って画像を撮影する画像撮影装置を制御するコンピュータに、予め画像を記録する記録媒体の属性を示す記録媒体情報に、前記複数の撮影パラメータに含まれるいずれかの撮影パラメータを対応付けて記憶する記憶処理と、画像を記録する記録媒体の属性を示す記録媒体情報を取得する取得処理と、前記取得処理により取得された記録媒体情報に対応付けられて前記記憶処理に記憶されている撮影パラメータを抽出する抽出処理と、前記抽出処理により抽出された撮影パラメータを前記複数の撮影パラメータの中から選択する選択処理と、前記選択処理により選択された撮影パラメータに従って画像を撮影する撮像処理とを実現させることを特徴とする。
【００２２】
請求項１５に記載の発明では、複数の撮影パラメータの中から選択された撮影パラメータに従って画像を撮影する画像撮影装置を制御するコンピュータに、画像を記録する記録媒体に記録されている画像の撮影パラメータを取得する取得処理と、前記取得処理により取得された撮影パラメータに基づいて、前記複数の撮影パラメータの中から撮影パラメータを選択する選択処理と、前記選択処理により選択された撮影パラメータに従って画像を撮影する撮像処理とを実現させることを特徴とする。
【００２３】
請求項１６に記載の発明では、複数の撮影パラメータの中から選択された撮影パラメータに従って画像を撮影する画像撮影装置を制御するコンピュータに、外部記録媒体が挿着されているか否かを検出する検出処理と、前記検出処理が外部記録媒体の挿着を検出した場合、前記外部記録媒体用の所定の撮影パラメータを前記複数の撮影パラメータの中から選択し、前記検出処理が外部記録媒体の挿着を検出しない場合、内部記録媒体用の所定の撮影パラメータを前記複数の撮影パラメータの中から選択する選択処理と、前記選択処理により選択された撮影パラメータに従って画像を撮影する撮像処理とを実現させることを特徴とする。
【発明の効果】
【００２４】
本発明における第１の発明では、画像を記録する記録媒体の属性を示す記録媒体情報に基づいて、複数の撮影パラメータの中から撮影パラメータをユーザ操作によらずに自動的に選択することによって、適切な撮影パラメータによる撮影ができる。
【００２５】
本発明における第２の発明では、画像を記録する記録媒体に記録されている画像の撮影パラメータに基づいて、複数の撮影パラメータの中から撮影パラメータをユーザ操作によらずに自動的に選択することによって、適切な撮影パラメータによる撮影ができる。
【００２６】
本発明における第３の発明では、外部記録媒体が挿着されている場合には、外部記録媒体用の所定の撮影パラメータを複数の撮影パラメータの中からユーザ操作によらずに自動的に選択し、外部記録媒体が挿着されていない場合には、内部記録媒体用の所定の撮影パラメータを複数の撮影パラメータの中からユーザ操作によらずに自動的に選択することによって、適切な撮影パラメータによる撮影ができる。
【発明を実施するための最良の形態】
【００２７】
以下、図面を参照して本発明の実施の形態について説明する。
Ａ．第１実施形態
（１）全体構成
図１は、本発明の第１実施形態による画像撮影装置の全体構成を示すブロック図である。この図において、カメラ部１０は、撮影レンズ１０ａ、イメージセンサ１０ｂおよび画像処理部１０ｃを備える。撮影レンズ１０ａは、イメージセンサ１０ｂ上に被写体像を結像する。イメージセンサ１０ｂは、被写体の明るさに応じて制御部１２が指示する撮像感度（ＩＳＯ感度）に設定したり、撮影パラメータ（後述する）に応じて制御部１２が指定する撮影モードで撮像する。
【００２８】
具体的には、操作部１１に配設されるシャッタボタンが押下されない状態では、プレビュー用の解像度の低い画像データを所定フレーム周期（例えば秒間３０フレーム程度）で生成し、一方、シャッタボタンが押下された場合には、制御部１２が指定する撮影モードに従った解像度の画像データを生成する。イメージセンサ１０ｂが生成する画像データは、制御部１２の制御の下に、ＲＡＭ１４の画像格納部１４ａに一時記憶される。
【００２９】
なお、画像格納部１４ａは、イメージセンサ１０ｂが生成する画像データを一時記憶するエリアと、記録用の画像データを保存する保存エリア（内蔵ＲＡＭ）とを備える。画像処理部１０ｃは、制御部１２の制御の下に、画像格納部１４ａに一時記憶される画像データに対してノイズ除去、ホワイトバランス調整、輝度補正および画像圧縮などの画像処理を施して記録用の画像データを発生する。この記録用の画像データは、制御部１２の制御の下に、画像格納部１４ａの保存エリア（内蔵ＲＡＭ）もしくは後述のメモリカード１７に記録される。
【００３０】
操作部１１には、上記カメラ部１０に撮影指示するシャッタボタンの他、パワーオンオフする電源スイッチ、通話開始／終了時に操作されるオフフック／オンフックスイッチ、ダイヤルスイッチと兼用の文字入力スイッチ等の各種操作キーやボタンを備え、これらキーやボタンの操作に応じたイベントを発生して制御部１２に供給する。制御部１２は、操作部１１から供給されるイベントに応じて画像撮影装置各部の動作を制御する。本発明の要旨に係わる制御部１２の特徴的な処理動作については追って詳述する。
【００３１】
ＲＯＭ１３は、プログラムエリアおよびデータエリアを備える。ＲＯＭ１３のプログラムエリアには、制御部１２により実行される各種プログラムが記憶される。各種プログラムとは、上述したカメラ部１０の動作を制御するメインルーチン（後述する）と、このメインルーチンを構成する各種処理（記録媒体情報更新処理、撮影パラメータ設定処理、画像保存処理、記録先ユーザ設定処理および撮影パラメータユーザ設定処理）とを含む。ＲＯＭ１３のデータエリアには、所定のプログラムにより参照される制御データの他、例えば待受画面などを形成する各種画面データが記憶される。
【００３２】
ＲＡＭ１４は、制御部１２が実行する各種処理に用いられるフラグやレジスタデータを一時記憶するワークエリア、カメラ部１０が撮像した画像データや撮影パラメータなどを記憶する画像エリア等を備える。ＲＡＭ１４の画像エリアは、上述した画像格納部１４ａの他、記録媒体情報格納部１４ｂ、撮影パラメータ格納部１４ｃ、対応テーブル格納部１４ｄおよび記録先情報格納部１４ｅを有する。
【００３３】
表示部１５は、カラー液晶パネルおよび表示ドライバから構成され、制御部１２の制御の下に、待受画面など各種画面を表示したり、カメラ部１０が撮影した画像データを画面表示する。外部メモリ入出力制御部１６は、記録容量の異なる各種メモリカード１７が挿抜自在な複数のカードスロットを有し、これらカードスロットに挿着されるメモリカード１７の媒体種類とその記録容量とを表す記録媒体情報を発生して制御部１２に出力する一方、制御部１２の制御の下に、スロット挿入されたメモリカード１７との間で画像データ（静止画データ又は動画データ）を授受する。
【００３４】
通信処理部１８は、アンテナＡＮＴを介して受信復調した音声データを制御部１２に出力する一方、制御部１２から供給される音声データを変調して得た送信信号を高周波増幅してアンテナＡＮＴから送出する。通話部１９は、スピーカおよびマイクを備え、制御部１２から供給される音声データを音声信号にＤ／Ａ変換してスピーカから発音させたり、マイクから出力される音声信号を音声データにＡ／Ｄ変換して制御部１２に供給する。入出力インタフェース部２０は、制御部１３の制御の下、ＵＳＢケーブルなどのシリアルインタフェースで接続される外部機器との間でデータ授受する。
【００３５】
（２）ＲＡＭ１４の画像エリアの構成
次に、図２〜図４を参照してＲＡＭ１４の画像エリアに設けられる記録媒体情報格納部１４ｂ、撮影パラメータ格納部１４ｃおよび対応テーブル格納部１４ｄの各データ構成について説明する。
【００３６】
図２は、記録媒体情報格納部１４ｂの構成を示す図である。記録媒体情報格納部１４ｂには、記録媒体が格納されている格納場所、すなわちＲＡＭ１４の画像格納部１４ａ（内蔵ＲＡＭ）、外部メモリ入出力制御部１６のカードスロット（外部１および外部２）に挿着されるメモリカードについて、その記録媒体の種類および記録容量を表す記録媒体情報と記録先設定情報とが記憶される。記録先設定情報とは、現在使用可能な記録媒体を格納している格納場所（内蔵ＲＡＭ、外部１および外部２）の中で記録先に設定された格納場所を表すフラグであり、「１」の場合に記録先の格納場所を表し、そうでない場合に「０」となる。なお、図２に図示する一例は、外部１のカードスロットに挿着されたメモリカードが記録先に設定されていることを表す。
【００３７】
図３は、撮影パラメータ格納部１４ｃの構成を示す図である。撮影パラメータ格納部１４ｃには、現在設定されている、静止画撮影用の撮影パラメータおよび動画撮影用の撮影パラメータが格納される。この図に示す一例は、静止画撮影用の撮影パラメータとしてスーパーファイン（撮影画質）およびＶＧＡ（撮影サイズ）が、動画撮影用の撮影パラメータとしてスーパーファイン（撮影画質）３０ｆｐｓ（１秒あたりのフレーム数）およびＶＧＡ（撮影サイズ）が設定されている状態を示している。
【００３８】
図４は、対応テーブル格納部１４ｄの構成を示す図である。対応テーブル格納部１４ｄには、記録媒体の種類および記憶容量に対応する撮影パラメータがテーブルとして記憶される。テーブル登録される撮影パラメータは、記録媒体の種類および記憶容量に応じて、可能な限り最も大きい撮影サイズで高画質な条件を表す。この対応テーブル格納部１４ｄでは、使用する記録媒体の種類および記憶容量を指定すると、それに対応する撮影パラメータがテーブル読み出しされる。読み出された撮影パラメータは、上述した撮影パラメータ格納部１４ｃにストアされる。
【００３９】
（３）動作
次に、図５〜図１１を参照して第１実施形態の動作について説明する。以下では、制御部１２により実行されるメインルーチンの動作、このメインルーチンからコールされる記録媒体情報更新処理、撮影パラメータ設定処理、画像保存処理、記録先ユーザ設定処理および撮影パラメータユーザ設定処理の各動作について述べる。
【００４０】
（ａ）メインルーチンの動作
図５〜図６は、制御部１２が実行するメインルーチンの動作を示すフローチャートである。上記構成による画像撮影装置においてカメラ部１０の起動を指示する操作が行われると、制御部１２では、カメラ部１０の動作を制御するメインルーチンを実行して図５に図示するステップＳＡ１に処理を進め、先ずカメラ部１０を起動させる。なお、図示していないが、制御部１２は、起動したカメラ部１０が発生するプレビュー用の低解像度の画像データを表示部１５に画面表示する。
【００４１】
続いて、ステップＳＡ２では、記録媒体情報更新処理を実行する。後述するように、記録媒体情報更新処理では、外部メモリ入出力制御部１６のカードスロットにメモリカード１７が挿着されていると、そのメモリカード１７の媒体種類および記録容量を表す記録媒体情報を外部メモリ入出力制御部１６から取得してＲＡＭ１４の記録媒体情報格納部１４ｂに登録し、一方、メモリカード１７が挿着されていなければ、ＲＡＭ１４の記録媒体情報格納部１４ｂに記憶される内蔵ＲＡＭ（画像格納部１４ａ）の記録先設定情報を「１」に更新し、外部１および外部２の記録先設定情報を「０」に更新すると共に、更新された記録先設定情報が指定する記録先を表す記録先情報を、ＲＡＭ１４の記録先情報格納部１４ｅに登録する。
【００４２】
次いで、ステップＳＡ３では、撮影パラメータ設定処理を実行する。後述するように、撮影パラメータ設定処理では、記録先情報格納部１４ｅに記憶される記録先情報を参照して記録媒体情報格納部１４ｂから対応する記録媒体情報を取得し、さらに取得した記録媒体情報に対応する撮影パラメータを対応テーブル１４ｄから読み出す。そして、対応テーブル１４ｄから読み出した撮影パラメータと、ＲＡＭ１４の撮影パラメータ格納部１４ｃに格納される現在設定中の撮影パラメータとが異なる場合に、ユーザが撮影パラメータ更新を指示する実行指示操作を行うと、対応テーブル１４ｄから読み出した撮影パラメータを、新たに設定する撮影パラメータとしてＲＡＭ１４の撮影パラメータ格納部１４ｃにストアする。
【００４３】
続いて、ステップＳＡ４では、撮影操作の有無、すなわち操作部１１に配設されるシャッタボタンの押下の有無を判断する。シャッタボタンが押下された場合には、判断結果が「ＹＥＳ」になり、ステップＳＡ５に進み、ＲＡＭ１４の撮影パラメータ格納部１４ｃに記憶される撮影パラメータを参照してカメラ部１０に撮影モードを指示する。そして、ステップＳＡ６では、カメラ部１０に撮影を指示する。
【００４４】
これにより、カメラ部１０は、制御部１２が指示する撮影モードで撮影する。したがって、カメラ起動時に、外部メモリ入出力制御部１６のカードスロットにメモリカード１７が挿着されている場合には、その挿着されているメモリカード１７の種類および記録容量に応じて定まる、可能な限り最も大きい撮影サイズで高画質な撮影パラメータが自動的に設定され、この設定された撮影パラメータに従って撮影される。なお、カメラ部１０が撮影した画像データは、ＲＡＭ１４の画像格納部１４ａに一時記憶される。
【００４５】
次いで、ステップＳＡ７では、画像保存処理を実行する。後述するように、画像保存処理では、ユーザが記録操作を行うと、撮影パラメータに対応して生成される記録用画像データを、ＲＡＭ１４の記録先情報格納部１４ｅに記憶される記録先情報が表す格納場所の記録媒体に記録し、ユーザがメール送信操作やデータ送信操作を行うと、撮影パラメータに対応して生成される記録用画像データをＲＡＭ１４の画像格納部１４ａ（内蔵ＲＡＭ）に格納し、この内蔵ＲＡＭに格納された記録用画像データを、メール添付してメール送信したり、入出力インフェース部２０を介して外部出力する。
【００４６】
こうした画像保存処理が実行されると、制御部１２は上述したステップＳＡ４に処理に戻し、再び撮影操作の有無を判断する。撮影操作が行われなければ、上記ステップＳＡ４の判断結果は「ＮＯ」になり、ステップＳＡ８以降を実行する。ステップＳＡ８以降では、記録先変更操作の有無（ステップＳＡ８）、撮影パラメータ変更操作の有無（ステップＳＡ１１）、外部記録媒体挿抜操作の有無（ステップＳＡ１３）およびカメラ終了操作の有無（ステップＳＡ１７）を判断する。以下では、これら各操作が行われた場合に分けて動作説明を進める。
【００４７】
＜記録先変更操作が行われた場合＞
記録先変更操作が行われると、ステップＳＡ８の判断結果が「ＹＥＳ」になり、ステップＳＡ９を介して記録先ユーザ設定処理を実行する。記録先ユーザ設定処理では、後述するように、ＲＡＭ１４の記録媒体情報格納部１４ｂに格納される記録媒体情報を一覧表示し、その内からユーザ選択される記録媒体情報の記録先設定情報を「１」に更新し、ユーザ選択されない記録媒体情報の記録先設定情報を「０」に更新すると共に、更新された記録先設定情報が指定する記録先を表す記録先情報を、ＲＡＭ１４の記録先情報格納部１４ｅに登録する。
【００４８】
次いで、ステップＳＡ１０に進み、撮影パラメータ設定処理を実行する。撮影パラメータ設定処理では、記録先情報格納部１４ｅに記憶される記録先情報を参照して記録媒体情報格納部１４ｂから対応する記録媒体情報を取得し、さらに取得した記録媒体情報に対応する撮影パラメータを対応テーブル１４ｄから読み出す。そして、対応テーブル１４ｄから読み出した撮影パラメータと、ＲＡＭ１４の撮影パラメータ格納部１４ｃに格納される現在設定中の撮影パラメータとが異なる場合に、ユーザが撮影パラメータ更新を指示する実行指示操作を行うと、対応テーブル１４ｄから読み出した撮影パラメータを、新たに設定する撮影パラメータとしてＲＡＭ１４の撮影パラメータ格納部１４ｃにストアする。この後、上述したステップＳＡ４に処理を戻す。
【００４９】
＜撮影パラメータ変更操作が行われた場合＞
撮影パラメータ変更操作が行われると、図６に図示するステップＳＡ１１の判断結果が「ＹＥＳ」になり、ステップＳＡ１２に進み、撮影パラメータユーザ設定処理を実行する。撮影パラメータユーザ設定処理では、後述するように、ユーザの新撮影パラメータ設定操作に応じて設定される新たな撮影パラメータを、ＲＡＭ１４の撮影パラメータ格納部１４ｃに登録すると共に、ＲＡＭ１４の対応テーブル格納部１４ｄで記録先の記録媒体情報に対応する撮影パラメータを、その登録した新たな撮影パラメータに更新する。この後、図５に図示するステップＳＡ４に処理を戻す。
【００５０】
＜外部記録媒体挿抜操作が行われた場合＞
外部記録媒体挿抜操作が行われると、図６に図示するステップＳＡ１３の判断結果が「ＹＥＳ」になり、ステップＳＡ１４に進み、記録媒体情報更新処理を実行する。記録媒体情報更新処理では、外部メモリ入出力制御部１６のカードスロットにメモリカード１７が挿着されていると、そのメモリカード１７の媒体種類および記録容量を表す記録媒体情報を外部メモリ入出力制御部１６から取得してＲＡＭ１４の記録媒体情報格納部１４ｂに登録し、一方、メモリカード１７が挿着されていなければ、ＲＡＭ１４の記録媒体情報格納部１４ｂに記憶される内蔵ＲＡＭ（画像格納部１４ａ）の記録先設定情報を「１」に更新し、外部１および外部２の記録先設定情報を「０」に更新すると共に、更新された記録先設定情報が指定する記録先を表す記録先情報を、ＲＡＭ１４の記録先情報格納部１４ｅに登録する。
【００５１】
続いて、ステップＳＡ１５では、記録先ユーザ設定処理を実行する。記録先ユーザ設定処理では、ＲＡＭ１４の記録媒体情報格納部１４ｂに格納される記録媒体情報を一覧表示し、その内からユーザ選択される記録媒体情報の記録先設定情報を「１」に更新し、ユーザ選択されない記録媒体情報の記録先設定情報を「０」に更新すると共に、更新された記録先設定情報が指定する記録先を表す記録先情報を、ＲＡＭ１４の記録先情報格納部１４ｅに登録する。
【００５２】
次いで、ステップＳＡ１６では、撮影パラメータ設定処理を実行する。撮影パラメータ設定処理では、記録先情報格納部１４ｅに記憶される記録先情報を参照して記録媒体情報格納部１４ｂから対応する記録媒体情報を取得し、さらに取得した記録媒体情報に対応する撮影パラメータを対応テーブル１４ｄから読み出す。そして、対応テーブル１４ｄから読み出した撮影パラメータと、ＲＡＭ１４の撮影パラメータ格納部１４ｃに格納される現在設定中の撮影パラメータとが異なる場合に、ユーザが撮影パラメータ更新を指示する実行指示操作を行うと、対応テーブル１４ｄから読み出した撮影パラメータを、新たに設定する撮影パラメータとしてＲＡＭ１４の撮影パラメータ格納部１４ｃにストアする。そして、この後、図５に図示するステップＳＡ４に処理を戻す。
【００５３】
＜カメラ終了操作が行われた場合＞
カメラ終了操作が行われると、ステップＳＡ１７の判断結果が「ＹＥＳ」となり、ステップＳＡ１８に進み、カメラ部１０に機能終了を指示して本処理を終える。
【００５４】
（ｂ）記録媒体情報更新処理の動作
次に、図７を参照して記録媒体情報更新処理の動作を説明する。上述したステップＳＡ２（図５参照）を介して本処理が実行されると、制御部１２は、図７に図示するステップＳＢ１に処理を進め、外部メモリ入出力制御部１６から供給される挿着信号に基づきメモリカード１７（外部記録媒体）がカードスロットに挿着されているか否かを判断する。メモリカード１７がカードスロットに挿着されていれば、判断結果は「ＹＥＳ」になり、ステップＳＢ２に進む。ステップＳＢ２では、カードスロットに挿着されるメモリカード１７の媒体種類とその記録容量とを表す外部記録媒体情報を外部メモリ入出力制御部１６から取得する。そして、ステップＳＢ３では、この取得した外部記録媒体情報を、ＲＡＭ１４に設けられる記録媒体情報格納部１４ｂの対応する格納場所の記録媒体情報として更新登録して本処理を終える。
【００５５】
一方、メモリカード１７がカードスロットに挿着されていない状態ならば、上述したステップＳＢ１の判断結果は「ＮＯ」になり、ステップＳＢ４に進む。ステップＳＢ４では、ＲＡＭ１４の記録媒体情報格納部１４ｂに記憶される内蔵ＲＡＭ（画像格納部１４ａ）の記録先設定情報を「１」に更新し、外部１および外部２の記録先設定情報を「０」に更新すると共に、更新された記録先設定情報が指定する記録先を表す記録先情報を、ＲＡＭ１４の記録先情報格納部１４ｅに登録して本処理を終える。
【００５６】
このように、記録媒体情報更新処理では、外部メモリ入出力制御部１６のカードスロットにメモリカード１７が挿着されていると、そのメモリカード１７の媒体種類および記録容量を表す記録媒体情報を外部メモリ入出力制御部１６から取得してＲＡＭ１４の記録媒体情報格納部１４ｂに登録し、一方、カードスロットにメモリカード１７が挿着されていなければ、ＲＡＭ１４の記録媒体情報格納部１４ｂに記憶される内蔵ＲＡＭ（画像格納部１４ａ）の記録先設定情報を「１」に更新し、外部１および外部２の記録先設定情報を「０」に更新すると共に、更新された記録先設定情報が指定する記録先を表す記録先情報を、ＲＡＭ１４の記録先情報格納部１４ｅに登録する。
【００５７】
（ｃ）撮影パラメータ設定処理の動作
次に、図８を参照して撮影パラメータ設定処理の動作を説明する。上述したステップＳＡ３（図５参照）を介して本処理が実行されると、制御部１２は、図８に図示するステップＳＣ１に処理を進め、ＲＡＭ１４の記録先情報格納部１４ｅから記録先を指定する記録先情報を読み出し、読み出した記録先情報を参照してＲＡＭ１４の記録媒体情報格納部１４ｂ（図２参照）から記録媒体情報を取得する。次いで、ステップＳＣ２では、上記ステップＳＣ１にて取得した記録媒体情報に対応する撮影パラメータをＲＡＭ１４の対応テーブル１４ｄ（図４参照）から読み出す。
【００５８】
そして、ステップＳＣ３では、上記ステップＳＣ２において対応テーブル１４ｄから読み出した撮影パラメータと、ＲＡＭ１４の撮影パラメータ格納部１４ｃ（図３参照）に格納される現在設定中の撮影パラメータとが異なるか否かを判断する。両パラメータが一致する場合には、撮影パラメータを更新する必要がないので、判断結果は「ＮＯ」になり、何も行わずに本処理を終える。
【００５９】
これに対し、対応テーブル１４ｄから読み出した撮影パラメータと撮影パラメータ格納部１４ｃ（図３参照）に格納される現在設定中の撮影パラメータとが異なると、上記ステップＳＣ３の判断結果は「ＹＥＳ」になり、ステップＳＣ４に進む。ステップＳＣ４では、撮影パラメータ更新の可否をユーザに確認する実行／中止確認の表示を表示部１５に画面表示する。そして、ステップＳＣ５では、この実行／中止確認表示に応じて、ユーザが実行指示操作をしたかどうかを判断する。ユーザが中止を指示する操作を行った場合には、ここでの判断結果は「ＮＯ」になり、本処理を終える。一方、ユーザが実行を指示する操作を行うと、判断結果は「ＹＥＳ」になり、ステップＳＣ６に進み、上記ステップＳＣ２において対応テーブル１４ｄから読み出した撮影パラメータを、新たに設定する撮影パラメータとしてＲＡＭ１４の撮影パラメータ格納部１４ｃにストアして本処理を終える。
【００６０】
このように、撮影パラメータ設定処理では、記録先情報格納部１４ｅに記憶される記録先情報を参照して記録媒体情報格納部１４ｂから対応する記録媒体情報を取得し、さらに取得した記録媒体情報に対応する撮影パラメータを対応テーブル１４ｄから読み出す。そして、対応テーブル１４ｄから読み出した撮影パラメータと、ＲＡＭ１４の撮影パラメータ格納部１４ｃに格納される現在設定中の撮影パラメータとが異なる場合に、ユーザが撮影パラメータ更新を指示する実行指示操作を行うと、対応テーブル１４ｄから読み出した撮影パラメータを、新たに設定する撮影パラメータとしてＲＡＭ１４の撮影パラメータ格納部１４ｃにストアするようになっている。
【００６１】
（ｄ）画像保存処理の動作
次に、図９を参照して画像保存処理の動作を説明する。上述したステップＳＡ７（図５参照）を介して本処理が実行されると、制御部１２は、図９に図示するステップＳＤ１において記録操作の有無を、ステップＳＤ６においてメール送信操作の有無を、ステップＳＤ１０においてデータ送信操作の有無をそれぞれ判断する。以下、記録操作された場合、メール送信操作された場合およびデータ送信操作された場合に分けて動作説明を進める。
【００６２】
＜記録操作された場合＞
ユーザが記録操作を行った場合には、ステップＳＤ１の判断結果が「ＹＥＳ」になり、ステップＳＤ２に処理を進め、ＲＡＭ１４の記録先情報格納部１４ｅから記録先情報を読み出し、続くステップＳＤ３では、ＲＡＭ１４の撮影パラメータ格納部１４ｃから撮影パラメータを読み出す。次いで、ステップＳＤ４では、記録用画像を作成する。すなわち、制御部１２は、上記ステップＳＤ３にて取得した撮影パラメータをカメラ部１０の画像処理部１０ｃに供給する。これにより、画像処理部１０ｃでは、イメージセンサ１０ｂが画像格納部１４ａに一時記憶した画像データからノイズ除去を行った後、そのノイズ除去後の画像データに対し、撮影パラメータで指定されるサイズおよび解像度となるように画像圧縮を施して記録用画像データを生成する。この後、ステップＳＤ５に進み、ＲＡＭ１４の記録先情報格納部１４ｅから読み出した記録先情報が表す格納場所の記録媒体に、画像処理部１０ｃにより生成された記録用画像データを記録して本処理を完了させる。
【００６３】
＜メール送信操作された場合＞
ユーザがメール送信操作を行った場合には、ステップＳＤ６の判断結果が「ＹＥＳ」になり、ステップＳＤ７に処理を進める。ステップＳＤ７では、ＲＡＭ１４の撮影パラメータ格納部１４ｃから撮影パラメータを読み出す。次いで、ステップＳＤ８では、上述したステップＳＤ４と同様に、撮影パラメータをカメラ部１０の画像処理部１０ｃに供給して記録用画像の作成を指示する。これにより、画像処理部１０ｃが画像格納部１４ａに一時記憶される画像データからノイズ除去を行った後、そのノイズ除去後の画像データに、撮影パラメータで指定されるサイズおよび解像度となるように画像圧縮を施して記録用画像データを生成して画像格納部１４ａ（内蔵ＲＡＭ）に格納する。そして、ステップＳＤ９では、内蔵ＲＡＭに格納された記録用画像データを送信すべきメールに添付してメール送信した後、本処理を完了させる。
【００６４】
＜データ送信操作された場合＞
ユーザがデータ送信操作を行った場合には、ステップＳＤ１０の判断結果が「ＹＥＳ」になり、ステップＳＤ１１に進み、ＲＡＭ１４の撮影パラメータ格納部１４ｃから撮影パラメータを読み出す。続いて、ステップＳＤ１２では、取得した撮影パラメータをカメラ部１０の画像処理部１０ｃに供給して記録用画像の作成を指示する。これにより、画像処理部１０ｃが画像格納部１４ａに一時記憶される画像データからノイズ除去を行った後、そのノイズ除去後の画像データに、撮影パラメータで指定されるサイズおよび解像度となるように画像圧縮を施して記録用画像データを生成して画像格納部１４ａ（内蔵ＲＡＭ）に格納する。そして、ステップＳＤ１３では、内蔵ＲＡＭに格納された記録用画像データを、入出力インフェース部２０を介して外部出力した後、本処理を完了させる。
【００６５】
以上のように、画像保存処理では、ユーザが記録操作を行った場合には、撮影パラメータに対応した記録用画像データを生成し、ＲＡＭ１４の記録先情報格納部１４ｅに記憶される記録先情報が表す格納場所の記録媒体に、生成した記録用画像データを記録する。ユーザがメール送信操作やデータ送信操作を行った場合には、撮影パラメータに対応して生成される記録用画像データをＲＡＭ１４の画像格納部１４ａ（内蔵ＲＡＭ）に格納し、この内蔵ＲＡＭに格納された記録用画像データを、メール添付してメール送信したり、入出力インフェース部２０を介して外部出力する。
【００６６】
（ｅ）記録先ユーザ設定処理の動作
次に、図１０を参照して記録先ユーザ設定処理の動作を説明する。上述したステップＳＡ９（図５参照）を介して本処理が実行されると、制御部１２は、図１０に図示するステップＳＥ１に処理を進め、ＲＡＭ１４の記録媒体情報格納部１４ｂから記録媒体情報を読み出し、続くステップＳＥ２では、その読み出した記録媒体情報を一覧表示する。次いで、ステップＳＥ３では、一覧表示された記録媒体情報のいずれかをユーザが選択する選択操作が行われるまで待機する。そして、ユーザの選択操作によりいずれかの記録媒体情報が選択されると、ステップＳＥ３の判断結果が「ＹＥＳ」になり、ステップＳＥ４に進む。ステップＳＥ４では、選択された記録媒体情報の記録先設定情報を「１」に更新し、ユーザ選択されない記録媒体情報の記録先設定情報を「０」に更新すると共に、この更新された記録先設定情報が指定する記録先を表す記録先情報を、ＲＡＭ１４の記録先情報格納部１４ｅに登録して本処理を完了させる。
【００６７】
（ｆ）撮影パラメータユーザ設定処理の動作
次に、図１１を参照して撮影パラメータユーザ設定処理の動作を説明する。上述したステップＳＡ１２（図６参照）を介して本処理が実行されると、制御部１２は、図１１に図示するステップＳＦ１に処理を進め、ユーザが新撮影パラメータ設定操作を行うまで待機する。ユーザが新撮影パラメータ設定操作を行うと、判断結果が「ＹＥＳ」になり、ステップＳＦ２に進む。ステップＳＦ２では、新撮影パラメータ設定操作により設定された新たな撮影パラメータを、ＲＡＭ１４の撮影パラメータ格納部１４ｃに登録する。次いで、ステップＳＦ３では、記録先設定が「１」となる記録先の記録媒体情報を、ＲＡＭ１４の記録媒体情報格納部１４ｂから読み出す。そして、ステップＳＦ４では、ＲＡＭ１４の対応テーブル格納部１４ｄにおいて、上記ステップＳＦ３にて取得した記録先の記録媒体情報に対応する撮影パラメータを、撮影パラメータ格納部１４ｃに登録された新たな撮影パラメータに更新して本処理を完了させる。
【００６８】
以上説明したように、第１実施形態では、複数の撮影パラメータの中から選択された撮影パラメータに従って画像を撮影する画像撮影装置で、予め画像を記録する記録媒体の属性を示す記録媒体情報に、複数の撮影パラメータに含まれるいずれかの撮影パラメータを対応付けて記憶しておき、画像を記録する記録媒体の属性を示す記録媒体情報を取得し、取得された記録媒体情報に対応付けられて記憶されている撮影パラメータを抽出し、抽出された撮影パラメータを複数の撮影パラメータの中から選択し、選択された撮影パラメータに従って画像を撮影するので、ユーザ操作によらずに適切な撮影パラメータを自動的に選択することができる。
【００６９】
また、撮像された画像を選択された撮影パラメータに従って記録用画像に変換して、取得された記録媒体情報を備える記録媒体に記録するので、ユーザ操作によらずに適切な撮影パラメータを自動的に選択することができ、その撮影パラメータに従って画像を記録することができる。
【００７０】
また、記録媒体情報として記録媒体の種類あるいは記録容量を利用しているので、ユーザが撮影する画像の撮影パラメータに応じて記録媒体の種類あるいは記憶容量を使い分けている場合に、ユーザ操作によらずに適切な撮影パラメータを自動的に選択することができる。
【００７１】
また、画像の記録先として記録媒体を指定し、指定される記録媒体の記録媒体情報を取得しているので、複数の記録媒体がある場合に、ユーザが画像を記録している記録媒体に応じた適切な撮影パラメータを、ユーザ操作によらずに自動的に選択することができる。
【００７２】
また、ユーザにより撮影パラメータが設定された際には、設定された撮影パラメータと取得された記録媒体情報とを対応付けて記憶するので、ユーザが撮影パラメータを設定した際に記録先に指定されていた記録媒体が、記録媒体の挿抜操作などにより再び記録先に指定されたときに、以前ユーザが設定した撮影パラメータを、ユーザ操作によらずに自動的に選択することができる。
【００７３】
Ｂ．第２実施形態
次に、図１２〜図１３を参照して第２実施形態について説明する。第２実施形態が、上述した第１実施形態と相違する点は、図１２に図示するように、ＲＡＭ１４の記録先情報格納部１４ｅに、記録先となる格納場所に加えて、記録先フォルダを表すフォルダ情報を備えることにある。以下、こうした記録先情報格納部１４ｅを用いる、第２実施形態による撮影パラメータ設定処理の動作について図１３を参照して説明する。
【００７４】
前述の第１実施形態と同様、メインルーチンのステップＳＡ３（図５参照）を介して本処理が実行されると、制御部１２は、図１３に図示するステップＳＧ１に処理を進め、図１２に図示したＲＡＭ１４の記録先情報格納部１４ｅから記録先情報を取得する。続いて、ステップＳＧ２では、取得した記録先情報中のフォルダ情報を参照して、そのフォルダに収録された画像データの撮影パラメータを取得し、取得した撮影パラメータの中からもっとも撮影数の多い撮影パラメータを選択する。
【００７５】
そして、ステップＳＧ３では、上記ステップＳＧ２において選択された撮影パラメータと、ＲＡＭ１４の撮影パラメータ格納部１４ｃ（図３参照）に格納される現在設定中の撮影パラメータとが異なるか否かを判断する。両パラメータが一致する場合には、撮影パラメータを更新する必要がないので、判断結果は「ＮＯ」になり、何も行わずに本処理を終える。
【００７６】
これに対し、対応テーブル１４ｄから読み出した撮影パラメータと撮影パラメータ格納部１４ｃ（図３参照）に格納される現在設定中の撮影パラメータとが異なると、上記ステップＳＧ３の判断結果が「ＹＥＳ」になり、ステップＳＧ４に進む。ステップＳＧ４では、撮影パラメータ更新の可否をユーザに確認する実行／中止確認の表示を表示部１５に画面表示する。そして、ステップＳＧ５では、この実行／中止確認表示に応じて、ユーザが実行指示操作をしたかどうかを判断する。ユーザが中止を指示する操作を行った場合には、判断結果が「ＮＯ」になり、本処理を終えるが、ユーザが実行を指示する操作を行うと、判断結果は「ＹＥＳ」になり、ステップＳＧ６に進み、上記ステップＳＧ２において対応テーブル１４ｄから読み出した撮影パラメータを、新たに設定する撮影パラメータとしてＲＡＭ１４の撮影パラメータ格納部１４ｃにストアして本処理を完了させる。
【００７７】
このように、第２実施形態では、複数の撮影パラメータの中から選択された撮影パラメータに従って画像を撮影する画像撮影装置で、画像を記録する記録媒体に記録されている画像の撮影パラメータを取得し、取得された撮影パラメータに基づいて、複数の撮影パラメータの中から撮影パラメータを選択し、選択された撮影パラメータに従って画像を撮影するので、ユーザ操作によらずに適切な撮影パラメータを自動的に選択することができる。
【００７８】
また、外部記録媒体に記録されている画像の撮影パラメータを取得するので、外部記憶媒体が挿着されている場合には、外部記憶媒体に記録されている画像の撮影パラメータに基づいて、ユーザ操作によらずに適切な撮影パラメータを自動的に選択することができる。
【００７９】
また、画像の記録先として記録媒体を指定し、指定される記録媒体に記録されている画像の撮影パラメータを取得するので、複数の記録媒体がある場合に、ユーザが画像を記録している記録媒体に記録されている画像の撮影パラメータに基づいて、ユーザ操作によらずに適切な撮影パラメータを自動的に選択することができる。
【００８０】
また、記録媒体が画像をグループ分けして記録している場合には、画像の記録先としていずれかのグループを指定し、指定されたグループに記録されている画像の撮影パラメータを取得するので、ユーザが画像を記録しているグループに記録されている画像の撮影パラメータに基づいて、ユーザ操作によらずに適切な撮影パラメータを自動的に選択することができる。
【００８１】
また、取得された撮影パラメータが複数ある場合、これら複数の撮影パラメータの内、撮影枚数が最も多い撮影パラメータを選択するので、ユーザが最も良く撮影に用いる撮影パラメータを、ユーザ操作によらずに自動的に選択することができる。
【００８２】
なお、第１実施形態では、外部記録媒体として、外部メモリ入出力制御部１６のカードスロットに挿着されるメモリカード１７としたが、入出力インターフェイス部２０にＵＳＢケーブルなどを介して接続されるハードディスクドライブなど、画像撮影装置と接続される外部記録媒体であれば良い。
【００８３】
また、記録媒体情報として、記録媒体の種類および記録容量を利用したが、どちらか一方でも良く、さらには、より簡易に外部記憶媒体か内部記録媒体（内蔵ＲＡＭ）かのみを記録媒体情報として利用しても良い。
【００８４】
また、第２実施形態では、取得された撮影パラメータが複数ある場合、これら複数の撮影パラメータの内、撮影枚数が最も多い撮影パラメータを選択するようにしたが、これに替えて、更新日時が最も新しい画像の撮影パラメータを選択するようにしても良い。このようにすることで最近の撮影に使用した撮影パラメータを自動的に設定することができるようになる。
【図面の簡単な説明】
【００８５】
【図１】本発明による第１実施形態の構成を示すブロック図である。
【図２】ＲＡＭ１４の記録媒体情報格納部１４ｂの構成を示す図である。
【図３】ＲＡＭ１４の撮影パラメータ格納部１４ｃの構成を示す図である。
【図４】ＲＡＭ１４の対応テーブル格納部１４ｄの構成を示す図である。
【図５】メインルーチンの動作を示すフローチャートである。
【図６】メインルーチンの動作を示すフローチャートである。
【図７】記録媒体情報更新処理の動作を示すフローチャートである。
【図８】撮影パラメータ設定処理の動作を示すフローチャートである。
【図９】画像保存処理の動作を示すフローチャートである。
【図１０】記録先ユーザ設定処理の動作を示すフローチャートである。
【図１１】撮影パラメータユーザ設定処理の動作を示すフローチャートである。
【図１２】第２実施形態による記録先情報格納部１４ｅの構成を示す図である。
【図１３】第２実施形態による撮影パラメータ設定処理の動作を示すフローチャートである。
【符号の説明】
【００８６】
１０  カメラ部
１１  操作部
１２  制御部
１３  ＲＯＭ
１４  ＲＡＭ
１４ａ  画像格納部
１４ｂ  記録媒体情報格納部
１４ｃ  撮影パラメータ格納部
１４ｄ  対応テーブル格納部
１４ｅ  記録先情報格納部
１５  表示部
１６  外部メモリ入出力制御部
１７  メモリカード
１８  通信処理部
１９  通話部
２０  入出力インタフェース部
【図１】
2007267192.tif 000003
【図２】
2007267192.tif 000004
【図３】
2007267192.tif 000005
【図４】
2007267192.tif 000006
【図５】
2007267192.tif 000007
【図６】
2007267192.tif 000008
【図７】
2007267192.tif 000009
【図８】
2007267192.tif 000010
【図９】
2007267192.tif 000011
【図１０】
2007267192.tif 000012
【図１１】
2007267192.tif 000013
【図１２】
2007267192.tif 000014
【図１３】
2007267192.tif 000015